(57)【要約】本明細書は携帯端末充電装置に関し、充電状態を表示する表示部を備えた少なくとも１つ以上の充電器、および前記充電器を積層方式によって少なくとも２つ以上を載置収容することができ、並列方式によって前記充電器に充電電源を供給するアダプダを備え、前記充電器は前記アダプダと分離して携帯端末と連結することにより、前記アダプダによって充電された電源を前記携帯端末に供給できることを特徴とする。【選択図】図１
2016508015.tif 000002
【特許請求の範囲】
【請求項１】
充電状態を表示する表示部を備えた少なくとも１つ以上の充電器、および
前記充電器を積層方式によって少なくとも２つ以上を載置収容することができ、並列方式によって前記充電器に充電電源を供給するアダプダを備え、
前記充電器は、前記アダプダと分離して携帯端末と連結することにより、前記アダプダによって充電された電源を前記携帯端末に供給できることを特徴とする、携帯端末充電装置。
【請求項２】
前記充電器は、
バッテリーセルを含む本体部、
前記本体部の上部に形成され、正の電極と負の電極を含む上部電極、および
前記本体部の下部に形成され、前記上部電極と対応する正の電極と負の電極を含む下部電極、
を備え、
前記上部電極と下部電極は相互対称をなす位置に形成され、前記上部電極が前記下部電極に挿入することにより、隣接した２つの充電器が互いに電気的に連結することを特徴とする、請求項１に記載の携帯端末充電装置。
【請求項３】
前記本体部上端に形成される係止突起、および
前記係止突起と対称をなして前記本体部の下端に形成される係止溝をさらに備えることを特徴とする、請求項２に記載の携帯端末充電装置。
【請求項４】
前記表示部は、
充電器の充電が進行中である第１表示モード、充電器の充電エラーを表示する第２表示モード、充電器の充電が完了した第３表示モード、および充電器の放電を表示する第４表示モードを含むことを特徴とする、請求項１に記載の携帯端末充電装置。
【請求項５】
アダプダと電気的に連結して電源の供給を受け、携帯端末と連結して前記アダプダによって供給を受けた電源を前記携帯端末に供給する充電器であって、
前記アダプダから電源の入力を受ける入力端、
前記入力端から入力された電源が充電されるバッテリー、
前記バッテリーの充電状態を制御する制御部、
前記バッテリーの充電状態を表示する表示部、
前記バッテリーの充電電圧を前記携帯端末に供給するための出力端子、および
積層方式によって多数の充電器が相互連結すると共に、電気的に並列連結する連結部を備える充電器。
【請求項６】
前記連結部は、
上部面に形成され、正の電極と負の電極を含む上部電極、および
下部面に形成され、前記上部電極と対応である正の電極と負の電極を含む下部電極、
を備え、
前記上部電極と下部電極は相互対称をなす位置に形成され、前記上部電極が前記下部電極に挿入することにより、隣接した２つの充電器が互いに電気的に連結することを特徴とする、請求項５に記載の充電器。
【請求項７】
前記表示部は、
充電器の充電が進行中である第１表示モード、充電器の充電エラーを表示する第２表示モード、充電器の充電が完了した第３表示モード、および充電器の放電を表示する第４表示モードを含むことを特徴とする、請求項５に記載の充電器。
【請求項８】
ディスプレイおよび携帯端末と連結することができる出力端子を備えた少なくとも１つ以上の充電器、および
前記充電器を積層方式によって少なくとも２つ以上を載置収容することができ、並列方式によって前記充電器に充電電源を供給するアダプダを備え、
前記充電器は、前記アダプダと連結して電源の供給を受ける充電モードと、前記アダプダと分離して携帯端末と連結することにより、前記アダプダによって充電された電源を前記携帯端末に供給する放電モードで動作し、前記放電モードでは、前記ディスプレイで所定のコンテンツを表示することを特徴とする、携帯端末充電装置。
【請求項９】
前記充電器は、
バッテリーセルを含む本体部、
前記本体部の上部に形成され、正の電極と負の電極を含む上部電極、および
前記本体部の下部に形成され、前記上部電極と対応する正の電極と負の電極を含む下部電極、
を備え、
前記上部電極と下部電極は相互対称をなす位置に形成され、前記上部電極が前記下部電極に挿入することにより、隣接した２つの充電器が互いに電気的に連結することを特徴とする、請求項８に記載の携帯端末充電装置。
【請求項１０】
前記本体部の上端に形成される係止突起、および
前記係止突起と対称をなして前記本体部の下端に形成される係止溝をさらに備えることを特徴とする、請求項９に記載の携帯端末充電装置。
【請求項１１】
前記充電器は、
所定のコンテンツが記録格納されたメモリ、および
前記出力端子から出力される電流の流れを感知するセンサをさらに備え、
前記センサで電流の流れが感知された場合、前記メモリに格納されたコンテンツを前記ディスプレイに表示することを特徴とする、請求項８に記載の携帯端末充電装置。
【請求項１２】
アダプダと電気的に連結して電源の供給を受け、携帯端末と連結して前記アダプダによって供給を受けた電源を前記携帯端末に供給する充電器であって、
前記アダプダから電源の入力を受ける入力端、
前記入力端から入力された電源が充電されるバッテリー、
前記バッテリーの充電状態を制御する制御部、
前記バッテリーの充電状態を表示する表示部、
前記バッテリーの充電電圧を前記携帯端末に供給するための出力端子、
所定のコンテンツが記録格納されたメモリ、
所定のコンテンツを表示することができるディスプレイ、および
前記出力端子によって出力される電流の流れを感知するセンサをさらに備え、
前記センサで電流の流れが感知された場合、前記メモリに格納されたコンテンツを前記ディスプレイに表示することを特徴とする、充電器。
【請求項１３】
上部面に形成され、正の電極と負の電極を含む上部電極、および
下部面に形成され、前記上部電極と対応する正の電極と負の電極を含む下部電極を備え、
前記上部電極と下部電極は相互対称をなす位置に形成され、前記上部電極が前記下部電極に挿入することにより、隣接した２つの充電器が互いに電気的に連結することを特徴とする、請求項１２に記載の充電器。
【請求項１４】
前記表示部は、
充電器の充電が進行中である第１表示モード、充電器の充電エラーを表示する第２表示モード、充電器の充電が完了した第３表示モード、および充電器の放電を表示する第４表示モードを含むことを特徴とする、請求項１２に記載の充電器。
【発明の詳細な説明】
【技術分野】
【０００１】
本明細書は携帯端末の充電装置に関し、より詳しくは、喫茶店、デパート、カラオケ、映画館、およびボウリングなどの公共の場所で多数の人がそれぞれ自身の席で携帯端末を容易に充電することができる携帯端末充電装置に関する。
【背景技術】
【０００２】
ＭＰ３プレーヤ、スマートフォン、およびタブレットなどの携帯用電子製品は、通信機能だけではなく、エンターテイメント、教育、業務などの日常生活全般に渡って広く活用されており、現代人の必需品として位置付けられている。
【０００３】
このような携帯用電子製品（以下、「携帯端末」という。）は、本体と本体の動作のために必要な電源を供給するために、本体と結合するバッテリーで構成される。携帯端末は通常、ユーザが操作しないときはバッテリー節約のために省電力（Ｐｏｗｅｒ  Ｓａｖｉｎｇ）モードで作動する。しかし、スマートフォンのような携帯端末は、ユーザの頻繁な機器操作および使用はしなくてもＧＰＳによる自動位置追跡と各種アプリケーションのプッシュ機能などにより、バッテリーが急速に消耗してしまう。このため、ユーザがバッテリーを随時充電したり、予備の補助バッテリーを携帯しなければならないという不便が存在する。
【０００４】
このようなバッテリー放電に備え、携帯端末のユーザは、家庭用電源を利用するバッテリー充電装置を利用してバッテリーを充電して使用する。また、ユーザによっては、バッテリーを装着した携帯端末とは別に充電済みの予備バッテリーを１〜２個くらい持ち歩きながら、携帯端末に装着されているバッテリーが放電した場合には、放電したバッテリーを予備バッテリーと交換して使用したりもする。
【０００５】
しかし、現代のように、スマートフォンなどの携帯端末への依存度が高くて携帯端末の使用が極めて頻繁な状況では、予備／補助バッテリーの限界が存在するため、携帯端末を随時充電することが極めて難しい。しかも、予想外のバッテリー放電によって携帯端末の使用が不可能になって急に連絡を取ることができなくなるなど、ユーザが困難な状況に陥る場合が発生することもある。
【０００６】
このような場合に備え、接近率が高いコンビニなどで携帯端末バッテリーの急速充電サービスが提供されている。しかし、このようなサービスは、別途の費用を支払わなければならない上に、電圧を高めて急速に充電する方式により、スマートフォンに無理がかかるようになる。これだけでなく、通常は４０〜５０％しか充電されず、充電に必要な一定時間は携帯端末を店に預けなければならない。そのため、その時間には重要な電話に出ることができないという不便と、スマートフォンに入っている公認認証書などの各種個人情報の露出と盗用に対する消費者の憂慮は払拭することができない。
【０００７】
このような問題点を解決するために、従来には補助用の携帯端末電源供給装置が市販されている。しかし、補助用の携帯端末電源供給装置は別途の充電器で充電するため、常に電源コンセントがある場所でしか充電することができない。補助用の携帯端末電源供給装置が携帯端末バッテリーと同じように放電した場合には外部で充電することが難しく、本来の目的を達成することができないという問題点があった。
【発明の概要】
【発明が解決しようとする課題】
【０００８】
本明細書は、上述したような問題点を解決するために案出されたものであって、喫茶店、遊園地、飲食店、美容室、官公署、事務室などの公共の場所でさらに便利に携帯端末を充電することができる携帯端末充電装置を提供することを目的とする。
【０００９】
また、本明細書は、広告などのコンテンツを表示することができる携帯端末充電装置を提供することにより、ユーザが携帯端末の充電過程で自然に広告などに露出できるようにすることを他の目的とする。
【課題を解決するための手段】
【００１０】
このような目的を達成するために、本明細書の一実施形態によると、本明細書に係る充電装置は、充電状態を表示する表示部を備えた少なくとも１つ以上の充電器、および前記充電器を積層方式によって少なくとも２つ以上を載置収容することができ、並列方式によって前記充電器に充電電源を供給するアダプダを備え、前記充電器は、前記アダプダと分離して携帯端末と連結することにより、前記アダプダによって充電された電源を前記携帯端末に供給できることを特徴とする。
【００１１】
また、前記充電器は、バッテリーセルを含む本体部、前記本体部の上部に形成され、正の電極と負の電極を含む上部電極、および前記本体部の下部に形成され、前記上部電極と対応する正の電極と負の電極を含む下部電極を備え、前記上部電極と下部電極は相互対称をなす位置に形成され、前記上部電極が前記下部電極に挿入することにより、隣接する２つの充電器が電気的に互いに連結することを特徴とする。
【００１２】
なお、前記充電器は、前記本体部上端に形成される係止突起、および前記係止突起と対称をなして前記本体部の下端に形成される係止溝をさらに備えることを特徴とする。
【００１３】
さらに、前記表示部は、充電器の充電が進行中である第１表示モード、充電器の充電エラーを表示する第２表示モード、充電器の充電が完了した第３表示モード、および充電器の放電を表示する第４表示モードを含むことを特徴とする。
【００１４】
このような目的を達成するために、本明細書の一実施形態によると、本明細書に係る充電器は、アダプダと電気的に連結して電源の供給を受け、携帯端末と連結して前記アダプダによって供給を受けた電源を前記携帯端末に供給して前記アダプダから電源の入力を受ける入力端、前記入力端から入力された電源が充電されるバッテリー、前記バッテリーの充電状態を制御する制御部、前記バッテリーの充電状態を表示する表示部、前記バッテリーの充電電圧を前記携帯端末に供給するための出力端子、および積層方式によって多数の充電器が相互連結すると共に、電気的に並列連結することができる連結部を備える。
【００１５】
また、前記連結部は、上部面に形成され、正の電極と負の電極を含む上部電極、および下部面に形成され、前記上部電極と対応する正の電極と負の電極を含む下部電極を備え、前記上部電極と下部電極は相互対称をなす位置に形成され、前記上部電極が前記下部電極に挿入することにより、隣接した２つの充電器が互いに電気的に連結することを特徴とする。
【００１６】
なお、前記表示部は、充電器の充電が進行中である第１表示モード、充電器の充電エラーを表示する第２表示モード、充電器の充電が完了した第３表示モード、および充電器の放電を表示する第４表示モードを含むことを特徴とする。
【００１７】
このような目的を達成するために、本明細書の他の一実施形態による携帯端末充電装置は、ディスプレイおよび携帯端末と連結することができる出力端子を備えた少なくとも１つ以上の充電器、および前記充電器を積層方式によって少なくとも２つ以上を載置収容することができ、並列方式によって前記充電器に充電電源を供給するアダプダを備え、前記充電器は、前記アダプダと連結して電源の供給を受ける充電モードと、前記アダプダと分離して携帯端末と連結することにより、前記アダプダによって充電された電源を前記携帯端末に供給する放電モードによって動作し、前記放電モードでは、前記ディスプレイに所定のコンテンツを表示することを特徴とする。
【００１８】
また、前記充電器は、バッテリーセルを含む本体部、前記本体部の上部に形成され、正の電極と負の電極を含む上部電極、および前記本体部の下部に形成され、前記上部電極と対応する正の電極と負の電極を含む下部電極を備え、前記上部電極と下部電極は相互対称をなす位置に形成され、前記上部電極が前記下部電極に挿入することにより、隣接した２つの充電器が互いに電気的に連結することを特徴とする。
【００１９】
なお、前記充電器は、前記本体部の上端に形成される係止突起、および前記係止突起と対称をなして前記本体部の下端に形成される係止溝をさらに備えることを特徴とする。
【００２０】
また、前記充電器は、所定のコンテンツが記録格納されたメモリ、および前記出力端子から出力される電流の流れを感知するセンサをさらに備え、前記センサで電流の流れが感知された場合、前記メモリに格納されたコンテンツを前記ディスプレイに表示することを特徴とする。
【００２１】
このような目的を達成するために、本明細書の他の一実施形態による充電器は、アダプダと電気的に連結して電源の供給を受け、携帯端末と連結して前記アダプダによって供給を受けた電源を前記携帯端末に供給する充電器であって、前記アダプダから電源の入力を受ける入力端、前記入力端から入力された電源が充電されるバッテリー、前記バッテリーの充電状態を制御する制御部、前記バッテリーの充電状態を表示する表示部、前記バッテリーの充電電圧を前記携帯端末に供給するための出力端子、所定のコンテンツが記録格納されたメモリ、所定のコンテンツを表示することができるディスプレイ、前記出力端子から出力される電流の流れを感知するセンサをさらに備え、前記センサで電流の流れが感知された場合、前記メモリに格納されたコンテンツを前記ディスプレイに表示することを特徴とする。
【００２２】
前記充電器は、上部面に形成され、正の電極と負の電極を含む上部電極、および下部面に形成され、前記上部電極と対応する正の電極と負の電極を含む下部電極を備え、前記上部電極と下部電極は相互対称をなす位置に形成され、前記上部電極が前記下部電極に挿入することにより、隣接した２つの充電器が互いに電気的に連結することを特徴とする。
【００２３】
前記表示部は、充電器の充電が進行中である第１表示モード、充電器の充電エラーを表示する第２表示モード、充電器の充電が完了した第３表示モード、および充電器の放電を表示する第４表示モードを含むことを特徴とする。
【発明の効果】
【００２４】
上述したように、本明細書によると、携帯端末充電装置を提供することにより、顧客の立場では、喫茶店、デパート、カラオケ、映画館、およびボウリングなどの公共の場所において自身の席で携帯端末を容易に充電することができる。
また、本明細書によると、広告などのコンテンツを表示することができる携帯端末充電装置を提供することにより、ユーザが携帯端末の充電過程で自然に広告などに露出されることができる。
なお、本明細書によると、店の立場では、顧客の好感度と満足度を急上昇させて売り上げ上昇を誘導し、ブランドイメージを刻印させることができる効果がある。
【図面の簡単な説明】
【００２５】
【図１】本明細書の一実施形態による携帯端末充電装置の構成を示した斜視図である。
【図２】本明細書の一実施形態による充電器の構成を示した斜視図である。
【図３】本明細書の一実施形態によるアダプダの構成を示した斜視図である。
【図４】本明細書の一実施形態による充電器と携帯端末の連結関係を説明するための図である。
【図５】本明細書の一実施形態による充電器の充電回路を概略的に示したブロック図である。
【図６】本明細書の他の一実施形態による充電器の充電回路を概略的に示したブロック図である。
【図７】本明細書の他の一実施形態による充電器と携帯端末の連結動作を説明するための図である。
【発明を実施するための形態】
【００２６】
以下、本明細書の実施形態について、添付の図面を参照しながら詳しく説明する。また、本明細書を説明するにあたり、関連する公知構成または機能に関する具体的な説明が本明細書の要旨を不明確にし得ると判断される場合には、その詳細な説明は省略する。
【００２７】
本明細書の携帯端末とは、ユーザが携帯可能なデジタル機器であって、マルチメディアの再生または通信機能などを実行する携帯用端末機を通称するものである。本明細書で使用される携帯端末は、ラップトップ（Ｌａｐｔｏｐ）、ノート型コンピュータ、個人情報端末機（ＰＤＡ）、ウルトラモバイルＰＣ（ＵＭＰＣ）、パームトップコンピュータ、ＰＭＰ、ＭＰ３プレーヤ、携帯電話、スマートフォン、タブレット（Ｔａｂｌｅｔ）などとすることができるが、これに限定されるものではなく、携帯可能なデジタル機器はすべて含まれる概念である。
【００２８】
また、本明細書の充電器１００は、携帯端末に対する補助バッテリーまたは携帯端末充電器として機能を実行することができる。充電器１００は、アダプダを利用して外部から電力の供給を受けてエネルギーを充電した後に携帯端末に連結することにより、携帯端末のバッテリーに電力を供給する充電器または補助バッテリーとして使用することができる。したがって、充電器１００は、一度放電したとしても再充電して使用し続けることができる二次電池で構成することができる。代表的な二次電池としては、リチウムイオンまたはリチウムポリマーを使用することができる。
【００２９】
リチウムイオン電池は、正極（リチウムコバルト酸化物）と負極（炭素）の間に有機電解質を入れて充電と放電を繰り返し行い、重量が軽くて高容量の電池を生成するのに有利であり、携帯電話、ノート型コンピュータ、デジタルカメラなどに多く使用されている。リチウムポリマー電池は、正極と負極の間に液体ではない固体やゲル形態のポリマー材料からなる電解質を使用し、電気を発生させるため、安全性が高くてエネルギー効率に優れるという長所がある。
【００３０】
本明細書で使用される充電器１００は、電気エネルギーを化学エネルギーに変換して貯蔵した後、必要なときに電気として再生する蓄電池、蓄電器、充電器、充電池、バッテリー、乾電池などを含む包括的な意味で使用され、特定の材料や素材に限定されるものではない。以下、充電器は充電池とも混用して用語を使用することにする。
【００３１】
図１は、本明細書の一実施形態による充電装置の構成を示した斜視図である。
【００３２】
図１を参照すると、本明細書に係る充電装置は、複数の充電器１００およびアダプダ２００を備える。
【００３３】
複数の充電器１００は、充電のためのアダプダ２００によって充電され、アダプダ２００と分離して補助バッテリーとして使用したり、またはそれぞれ独立的に少なくとも１つ以上の携帯端末を充電することができる。このために、複数の充電器１００は、図に示すように、アダプダ２００上に積層方式で収容され、アダプダ２００から供給される電圧によって充電される。
【００３４】
アダプダ２００は、本体部２１０と側壁部２２０で構成される。本体部２１０は複数の充電器１００を支持する。側壁部２２０は本体部２１０から垂直に延長し、複数の充電器１００の側面の一部を囲むように形成することにより、多数の充電池１００を安定的に収容することができる。前記側壁部２２０は、図に示すように、緩やかな曲線をなして形成することもできるが、外形がこれに限定されて構成されるものではない。また、側壁部２２０は、充電器１００の充電状態を外部から見ることができるように構成されるものであれば、どのような形態で実現されても問題ない。
【００３５】
図２は、本明細書の実施形態に係る充電器の構成を示した斜視図である。
【００３６】
図２を参照すると、本明細書に係る充電器１００は、本体部１１０、上部電極１２０ａ、１２０ｂ、下部電極１３０ａ、１３０ｂ、充電器係止突起１４０、充電器係止溝１５０、少なくとも１つ以上の出力端子１６０、および表示部１７０を備える。
【００３７】
本体部１１０は、円形または多角形の形態で形成することができ、内部にバッテリーセル（図示せず）とこれを制御するための回路部（図示せず）を備えることができる。
【００３８】
上部電極１２０ａ、１２０ｂは本体部１１０の上部に形成され、正の電極１２０ａと負の電極１２０ｂを備える。ここで、上部電極１２０ａ、１２０ｂは、下部に形成された下部電極１３０ａ、１３０ｂと互いに挿入締結するように対称に突出形成される。
【００３９】
下部電極１３０ａ、１３０ｂは本体部１１０の下部に形成され、上部電極１２０ａ、１２０ｂと同じように正の電極１３０ａと負の電極１３０ｂを備える。ここで、下部電極１３０ａ、１３０ｂは陥没して形成される。
【００４０】
したがって、複数の充電器１００を積層する場合、上段に積層する充電器の下部電極１３０ａ、１３０ｂに下段に置かれた充電器の上部電極１２０ａ、１２０ｂが相互結合することにより、複数の充電器１００が互いに電気的に連結するようになる。
【００４１】
係止突起１４０は、複数の充電器１００を積層する場合、上部充電器の係止溝１５０に挿入される。
【００４２】
同じように、係止溝１５０には、複数の充電器１００を積層する場合、下部充電器の充電装置の係止突起１４０が挿入する。
【００４３】
したがって、本明細書に係る複数の充電器１００は、上部電極１２０ａ、１２０ｂと下部電極１３０ａ、１３０ｂの結合、および充電装置の係止突起１４０と充電装置の係止溝１５０との結合によって互いに電気的に連結すると共に、動くことなく安定に固定することができる。
【００４４】
少なくとも１つ以上の出力端子１６０は、 充電器１００の本体部内部のバッテリーに充電された電圧を携帯端末に供給するためのインタフェースである。したがって、本明細書に係る充電器１００は、図４に示すように、連結線３００を利用して少なくとも１つ以上の携帯端末４００と連結して携帯端末４００のバッテリーを充電することができる。例えば、前記インタフェースは、携帯端末４００と互換が可能なＵＳＢポートであってもよい。
【００４５】
表示部１７０は、赤色および緑色などのＬＥＤで実現され、充電器１００の充電状態を表示する。例えば、表示部１７０が緑色である場合には携帯端末充電装置１００の充電が完了した状態であり、表示部１７０が赤色である場合には携帯端末充電装置１００の充電が足りない状態である。電源が供給中であるにも係わらず表示部１７０に赤色または緑色が表示されない場合は、電極が正常に連結しておらずに正常に充電が行われていないか、内部回路などに問題が発生した場合を示すことができる。
【００４６】
本明細書の他の実施形態によると、充電器１００の上部、下部または／および側面には、ブランドや店のロゴと共に、各種広告またはイベント情報などを含むＱＲコードなどのバーコードを付着することができる。したがって、ユーザは自身の携帯端末のバッテリー充電中に、バーコードからイベント／広告などのコンテンツの提供を受けることもできる。
【００４７】
本明細書のさらに他の実施形態によると、充電器１００の内部には、ＮＦＣ（Ｎｅａｒ  Ｆｉｅｌｄ  Ｃｏｍｍｕｎｉｃａｔｉｏｎ）のような近距離無線通信チップを内蔵することができる。前記近距離無線通信チップには、各種広告またはイベント情報などを含むことができる。特に、近距離無線通信チップにはＵＲＬが記録格納されている。これにより、ユーザが自身の携帯端末のバッテリー充電中に充電器１００の上端または近方に自身の携帯端末を接触させた場合、携帯端末は該ＵＲＬを認識することができる。これにより、ユーザは、関連ホームページ、アプリケーション、イベント、動画などの多様な情報へのアクセスが可能となる。このように、近距離無線通信チップを充電器１００に内蔵させる場合、上述したような広告、広報、関連情報、およびコンテンツを近距離無線通信チップによって容易にアップデートしてユーザに提供できるという長所がある。
【００４８】
本明細書のさらに他の実施形態によると、充電器１００の上部または／および側面にディスプレイ部をさらに備えることができる。したがって、ユーザは自身の携帯端末のバッテリー充電中に、充電器１００のディスプレイ部から所定の情報の提供を受けることもできる。
【００４９】
図３は、本明細書の一実施形態によるアダプダの構成を示した斜視図である。
【００５０】
図３を参照すると、本明細書に係るアダプダ２００は、本体部２１０、側壁部２２０、充電電極２３０ａ、２３０ｂ、アダプダ係止突起２４０、および電源供給端子２５０などを備える。
【００５１】
本体部２１０は積層された複数の充電器１００を支持し、内部に複数の充電器１００を充電するために必要な電圧を供給する回路部（図示せず）を備える。
【００５２】
側壁部２２０は本体部２１０から垂直に延長して形成され、積層された複数の携帯端末充電装置１００の側面の一部を囲むことにより、外部衝撃によって充電器１００が離脱したり落下したりして破損することを防ぐことができる。
【００５３】
充電電極２３０ａ、２３０ｂは本体部２１０の上部に形成され、正の電極２３０ａと負の電極２３０ｂを備える。充電電極２３０ａ、２３０ｂは、本体部２１０の回路部（図示せず）から出力される電圧を複数の充電器１００に印加する。このために、充電電極２３０は、本体部２１０上に複数の充電器１００を積層する場合、最下段に積層された充電器の２つの下部電極１３０ａ、１３０ｂに挿入されて接触するように突出して形成することができる。
【００５４】
係止突起２４０は、本体部２１０上に複数の充電器１００を積層する場合、最下段の充電器の係止溝１５０に挿入するように突出して形成される。したがって、複数の充電器１００は、アダプダ２００のアダプダ係止突起２４０と最下段の充電器の係止溝１５０との結合により、アダプダ２００の本体部２１０上に固定するようになる。
【００５５】
電源供給端子２５０は、外部から電源の供給を受けるための端子である。電源供給端子２５０は、本体部２１０の前面、底面、後面、または前後面など、どの位置に形成されても問題ない。電源供給端子２５０が本体部２１０の前後面すべてに形成される場合、電源供給端子２５０は、アダプダ２００の設置位置に応じて選択的に使用できるようになる。
【００５６】
図４は、本明細書の一実施形態による充電器と携帯端末の連結関係を説明するための図である。
【００５７】
上述したように、充電器１００がアダプダ２００によって充電された状態から、アダプダ２００を分離して携帯端末４００に電源を供給することができる。このとき、充電器１００は、携帯端末４００の補助バッテリーまたは充電装置として使用される。前記充電器１００は、多数の携帯端末４００とＵＳＢを利用して連結することができる。ユーザは、電源が携帯端末に供給される間の動作状態を表示部１７０で確認することができる。例えば、表示部１７０が赤色である場合は、充電器１００が正常に電源を供給する動作の実行中とすることができる。この反面、表示部１７０が消えていたり赤色が点滅したりする場合は、連結部が正常に締結しておらずに正常に充電が行われていないか、内部回路などに問題が発生した場合を示すことができる。また、充電器１００のバッテリー状態を緑色、青色、赤色などで表示部１７０に示すことにより、携帯端末４００に十分な電源を供給することができるかを把握することもできる。
【００５８】
図５は、本明細書の一実施形態による充電器の充電回路を概略的に示したブロック図である。
【００５９】
図５に示す充電器１００の充電回路は充電器本体部１１０内部に位置し、バッテリーの充電／放電を制御する動作を実行する。
【００６０】
図５を参照すると、充電回路は、入力端１３０、１２０、制御部１１、バッテリー１３、過充電防止部１５、昇圧部１７、センサ１９、出力端子１６０、および表示部１７０を備える。
【００６１】
入力端１３０は、アダプダ２００から電源の入力を受け、図２に示す下部電極１３０ａ、１３０ｂまたは上部電極１２０ａ、１２０ｂが入力端１３０に該当することができる。
【００６２】
制御部１１は通常、マイクロコンピュータで実現することができる。制御部１１は、バッテリー１３の充電状態および放電状態をモニタリングおよび制御し、充電時にはアダプダ２００から入力を受けることができる電流量を計算する。制御部１１は、個別のバッテリーセル間のバランシングを実行するようにそれぞれの電圧偏差に対応して個別の充電信号を生成することもできる。
【００６３】
また、制御部１１は、外部機器を充電器１００と分離する場合、これを感知して出力を遮断する。また、制御部１１は、外部機器の充電が完全に終了した場合、これを感知して出力を遮断する機能を実行することもできる。さらに、制御部１１は、内部バッテリーの充電が完全に終了した場合、自動で感知して入力を遮断することもできる。
【００６４】
バッテリー１３は通常、多数の個別のバッテリーセル（Ｂａｔｔｅｒｙ  Ｃｅｌｌ）でそれぞれ構成される多数のバッテリーパック（Ｂａｔｔｅｒｙ  Ｐａｃｋ）を直列または並列に連結した構造で形成することができる。バッテリー１３は主にリチウム系列を使用する。
【００６５】
しかし、リチウムは本来は不安定な元素であるため、空気中の水気と急激に反応して爆発しやすく、電解液は過熱による火事の危険性がある。このような理由により、リチウムイオン電池には安全保護回路（ＰＣＭ）が入っており、内部を堅いプラスチックで囲むようになる。前記バッテリーは、正極と負極の間に液体ではない固体やゲル形態のポリマー材料からなる電解質を使用することによって電気を発生させる「リチウムポリマー電池」を使用することもできる。
【００６６】
過充電防止部１５は、過充電によるバッテリー爆発またはバッテリー損傷を防ぐためのものである。過充電防止部１５は、バッテリー１３の状態をモニタリングして充電を遮断する役割をする。
【００６７】
昇圧部１７は、携帯端末を充電するために必要な適正電圧にバッテリー電圧を昇圧して出力する。通常、リチウム系列のバッテリーの平均電圧は３．７Ｖであるため、昇圧部１７は携帯端末を充電するために必要な電圧５Ｖにバッテリー電圧を昇圧して出力する。
【００６８】
出力端子１６０は、図２を参照しながら上述したように、複数を備えることができ、バッテリー１３に充電された電圧を携帯端末に供給するためのインタフェースである。したがって、本明細書に係る充電器１００は、図４に示すように、連結線３００を利用して少なくとも１つ以上の携帯端末４００と連結して携帯端末４００のバッテリーを充電することができる。前記インタフェースは、携帯端末と互換が可能なＵＳＢポートであってもよい。
【００６９】
表示部１７０は、赤色および緑色などのＬＥＤで実現され、充電器１００の充電状態を表示する。例えば、表示部１７０が緑色である場合は充電器１００の充電が完了した状態であり、表示部１７０が赤色である場合は充電器１００の充電が足りない状態である。アダプタ２００によって電源が供給中であるにも係わらず表示部１７０に赤色または緑色が表示されない場合は、電極が正常に連結しておらずにバッテリー１３が正常に充電されていないか、内部回路などに問題が発生した場合を示すことができる。
【００７０】
アダプタ２００から分離して携帯端末４００に連結したときに表示部１７０が消えている場合は、充電器１００のバッテリーが放電したか、携帯端末の充電が完了した場合とすることができる。
【００７１】
前記表示部１７０は、ＬＣＤまたはＯＬＥＤなどで実現することもできる。また、表示部１７０は、単純な充放電状態を表示する。さらに、表示部１７０は、所定のコンテンツを表示することもできる。
【００７２】
センサ１９は、出力端子から出力される電流の流れを感知する。センサ１９は、電流の流れが感知された場合は、充電器１００が携帯端末４００に電源を供給している状態として判断し、表示部１７０でこれを表示することもできる。
【００７３】
上述したような充電器１００は、図１に示すように、多数が相互積層方式によってアダプダ２００に並列連結し、アダプダ２００からバッテリー１３充電のための電源の供給を受ける。
【００７４】
このとき、並列連結する充電器１００は、自身のバッテリー状態に応じてそれぞれ供給を受ける電源が相違する。このような負荷分散（Ｌｏａｄ  Ｂａｌａｎｃｉｎｇ）によって充電装置と連結する充電器１００は、最終的には同じ時間で完全充電するようになる。
【００７５】
図６は、本明細書の他の一実施形態による充電器の充電回路を概略的に示したブロック図である。
【００７６】
図６に示す充電器１００は、コンテンツの表示が可能であることを特徴とする。すなわち、図５を参照しながら説明した実施形態と比較し、センサ１９、メモリ２１、およびディスプレイ７０をさらに備えることを特徴とする。以下、本実施形態では、図５と重複する構成要素に関する説明は省略し、センサ１９、メモリ２１、およびディスプレイ７０について説明する。
【００７７】
センサ１９は、出力端子から出力される電流の流れを感知する。センサ１９は、電流の流れが感知された場合は、充電器１００が携帯端末４００に電源を供給している状態として判断する。すなわち、充電器１００の放電状態はセンサ１９で感知することができる。特に、センサ１９は、アダプダ２００から電源の供給を受ける充電状態ではなく、出力端子１６０と連結する携帯端末４００にバッテリー１３電源を供給するために放電状態にモードを切り替えたかを感知する。
【００７８】
センサ１９で電流の流れが感知された場合、制御部１１は、充電器１００が外部携帯端末４００と連結してバッテリー電源を供給する状態として判断する。このとき、制御部１１は、放電モードにモードを変更し、ユーザが自身の携帯端末４００の充電中に所定のコンテンツを携帯装置のディスプレイ７０で見ることができるようにコンテンツを表示する。
【００７９】
ディスプレイ７０は、充電器１００の上部面に設置される。これは、ユーザが充電動作を実行する間にコンテンツを容易に認知できるようにするためである。
【００８０】
前記ディスプレイ７０は、文字、アイコン、ロゴ、イメージ、動画などを表示することができる小型ＬＣＤ、ＯＬＥＤなどであってもよい。
【００８１】
メモリ２１は、ディスプレイ７０に表示されるコンテンツ情報を格納する。コンテンツ情報は、充電器１００を利用して充電サービスを提供する公共機関、営業所などの広告コンテンツ、ロゴ、住所情報、キャンペーン情報などであってもよい。
【００８２】
図７は、本明細書の他の一実施形態による充電器と携帯端末の連結動作を説明するための図である。
【００８３】
上述したように、充電器１００がアダプダ２００によって充電された状態から、アダプダ２００を分離して携帯端末４００に電源を供給することができる。このとき、充電器１００は、携帯端末４００の補助バッテリーまたは充電装置として使用される。前記充電器１００は、多数の携帯端末４００とＵＳＢを利用して連結することができる。ユーザは、電源が携帯端末に供給される間の動作状態を表示部１７０で確認することができる。一方、出力端子１６０によって携帯端末４００と充電器１００が連結した後、充電器１００から携帯端末４００に電源が供給される場合、センサ１９でこれを感知し、充電器１００は放電モードで動作するようになる。制御部１１は放電モードにモードを変更し、ユーザが自身の携帯端末４００を充電する間に所定のコンテンツを携帯装置のディスプレイ７０で見ることができるようにコンテンツを表示する。
【００８４】
ディスプレイ７０は、図に示すように、充電器１００の上部面に設置される。これは、ユーザが充電動作を実行する間にコンテンツを容易に認知できるようにするためである。ディスプレイ７０に出力されるコンテンツは、広告、ロゴ、住所、電話番号、動画、イメージなどであってもよい。
【００８５】
本明細書に開示された実施形態は、本明細書を限定するものではない。本明細書の範囲は、添付する特許請求の範囲によって解釈されなければならず、これと均等な範囲内に存在するすべての技術も、本明細書の範囲に含まれると解釈されなければならない。
【図１】
2016508015.tif 000003
【図２】
2016508015.tif 000004
【図３】
2016508015.tif 000005
【図４】
2016508015.tif 000006
【図７】
2016508015.tif 000007
【図５】
2016508015.tif 000008
【図６】
2016508015.tif 000009
【国際調査報告】
2016508015.tif 000010
2016508015.tif 000011
2016508015.tif 000012
2016508015.tif 000013